(57)【要約】【課題】表示装置の開口部周縁とカバー周縁との間で高さの差を設けることなく、カバー周縁に立体感をもたせて外観を良くする。【解決手段】裏側キャビネット（筐体）の開口部を覆うハーフミラーカバーの構造において、表面の高さを開口部周縁と同一とし、裏面側を裏側キャビネットの外部からの光は反射し、裏側キャビネットの内部からの光は透過するハーフミラー膜１３で覆う。開口部周縁に接する縁部の裏側に位置する裏側縁部１１ｄに斜面を設ける。【選択図】図１
2011234182.tif 000002
【特許請求の範囲】
【請求項１】
筐体の開口部を覆う筐体のカバー構造において、
透明又は半透明材料で構成されたカバーを備え、
上記カバーは、
表面の高さが上記筐体の開口部周縁と同一であり、
裏面側が、上記筐体の外部からの光は反射し、該筐体の内部からの光は透過するハーフミラーの膜で覆われ、
上記開口部周縁に接する縁部の裏側に位置する裏側縁部には、斜面が形成されている
ことを特徴とする筐体のカバー構造。
【請求項２】
請求項１に記載の筐体のカバー構造において、
上記裏側縁部は、上記開口部周縁に向かって表面側へ凹んでいる
ことを特徴とする筐体のカバー構造。
【請求項３】
請求項１に記載の筐体のカバー構造において、
上記裏側縁部は、上記窓側周縁に向かって表面から離れる方向へ傾斜している
ことを特徴とする筐体のカバー構造。
【請求項４】
請求項１乃至３のいずれか１つに記載の筐体のカバー構造において、
上記光源は、表示装置の光源であり、
上記裏側縁部と上記開口部中央部の表示領域とを除く領域には、遮光膜が形成され、
上記裏側縁部の裏面側に導光板が配置され、該導光板に上記光源からの光が導かれるようになっている
ことを特徴とする筐体のカバー構造。
【請求項５】
請求項４に記載の筐体のカバー構造において、
上記光源は、複数のＬＥＤを含み、イルミネーション機能を発揮する
ことを特徴とする筐体のカバー構造。
【請求項６】
請求項１乃至５のいずれか１つに記載の筐体のカバー構造を備えている
ことを特徴とする携帯端末。
【請求項７】
請求項６に記載の携帯端末において、
上記筐体と操作側筐体とが折畳み開閉自在に連結され、
上記表示装置は、上記筐体の一方の面に設けたメインディスプレイとは別に他方の面に設けられたサブディスプレイである
ことを特徴とする携帯端末。
【請求項８】
表面が平坦な透明又は半透明材料で構成され、
裏面側が、表面からの光は反射し、裏面からの光は透過するハーフミラーの膜で覆われ、
周縁の裏側に位置する裏側縁部には、斜面が形成されている
ことを特徴とするハーフミラーカバー。
【発明の詳細な説明】
【技術分野】
【０００１】
本発明は、ハーフミラーカバー、筐体のカバー構造及びそれを備えた携帯端末に関するものである。
【背景技術】
【０００２】
従来より、折畳み式の携帯電話機では、第１の筐体と第２の筐体とを開いたときに、第１の筐体の表面側にメインディスプレイが、裏面側にサブディスプレイが設けられることが知られている。これにより、第１の筐体と第２の筐体とを折り畳んだ状態でもサブディスプレイを見ることで、時刻、通信状況、充電状況等を確認できるようになっている（例えば、特許文献１参照）。この携帯電話機では、全体の厚さを抑えるためにサブディスプレイを覆う透明なカバーは、サブディスプレイの窓部（開口部）周縁と同じ高さとなるように嵌め込まれている。
【先行技術文献】
【特許文献】
【０００３】
【特許文献１】特開２００４−４０４６４号公報
【発明の概要】
【発明が解決しようとする課題】
【０００４】
しかしながら、上記特許文献１の表示装置のカバーを立体感を出して見映えを良くしようとすると、カバーの表面が、筐体の開口部周縁よりも出っ張って厚さが厚くなり、逆に高さを揃えたままで立体感を出そうとすれば、開口部周縁と、傾斜のあるカバー周縁との間に段差が生じ、この段差にごみが溜まりやすいという問題があった。
【０００５】
本発明は、かかる点に鑑みてなされたものであり、その目的とするところは、筐体の開口部周縁とカバー周縁との間で高さの差を設けることなく、カバー周縁に立体感をもたせて外観を良くすることにある。
【課題を解決するための手段】
【０００６】
上記の目的を達成するために、この発明では、筐体の開口部周縁に接するカバーの縁部裏側に斜面を設け、カバーの裏面をハーフミラーの層で覆った。
【０００７】
具体的には、第１の発明では、筐体の開口部を覆う筐体のカバー構造を前提とし、
上記筐体のカバー構造は、透明又は半透明材料のカバーを備え、
上記カバーは、
表面の高さが上記筐体の開口部周縁と同一であり、
裏面側が、上記筐体の外部からの光は反射し、該筐体の内部からの光は透過するハーフミラーの膜で覆われ、
上記開口部周縁に接する縁部の裏側に位置する裏側縁部には、斜面が形成されている。
【０００８】
上記の構成によると、カバーの裏面側がハーフミラーの膜で覆われているので、光源を光らせない限り、カバーが光を反射する。このとき、開口部周縁に接する縁部の裏側には斜面が形成されているので、この斜面におけるハーフミラーの膜が光を反射する。このため、カバーの表面側に斜面を設けなくても、表面から見れば、開口部周縁に接する部分から凹んだり膨らんだりしているように見え、立体感が醸し出される。
【０００９】
第２の発明では、第１の発明において、
上記裏側縁部は、上記開口部周縁に向かって表面側へ凹んでいる。
【００１０】
上記の構成によると、開口部周縁に接する縁部の裏側は、開口部周縁に向かって表面側へ凹んでいるので、この凹んだ部分のハーフミラーの膜が反射し、カバーの中心部が凹んでいるように見える。このため、カバーの表面側に斜面を設けなくても、表面から見れば、開口部周縁近傍を斜面とする凹陥部が形成されているように見え、立体感が醸し出される。
【００１１】
第３の発明では、第１の発明において、
上記裏側縁部は、上記窓側周縁に向かって表面から離れる方向へ傾斜している。
【００１２】
上記の構成によると、開口部周縁に接する縁部の裏側は、窓側周縁に向かって表面から離れる方向へ傾斜しているので、この傾斜した部分のハーフミラーの膜が反射し、カバーの中心部分が膨らんでいるように見える。このため、カバーの表面側に斜面を設けなくても、表面から見れば、開口部周縁近傍を斜面とする膨出部が形成されているように見え、立体感が醸し出される。
【００１３】
第４の発明では、第１乃至第３のいずれか１つの発明において、
上記光源は、表示装置の光源であり、
上記裏側縁部と上記開口部中央部の表示領域とを除く領域には、遮光膜が形成され、
上記裏側縁部の裏面側に導光板が配置され、該導光板に上記光源からの光が導かれるようになっている。
【００１４】
上記の構成によると、表示装置の未使用時には、ハーフミラー膜の作用で開口部周縁近傍の立体感が醸し出され、光源からの光が導光板に導かれたときには、この縁部が光を透過し、際立って見える。
【００１５】
第５の発明では、第４の発明において、
上記光源は、複数のＬＥＤを含み、イルミネーション機能を発揮する構成とする。
【００１６】
上記の構成によると、ＬＥＤや表示装置の未使用時には、ハーフミラー膜の作用で開口部周縁近傍の立体感が醸し出され、ＬＥＤからの光が導光板に導かれたときには、この縁部が光を透過し、イルミネーションが際立って見える。
【００１７】
第６の発明では、携帯端末は、第１乃至第５のいずれか１つの発明の筐体のカバー構造を備えている。
【００１８】
上記の構成によると、外観が良く、かつ厚さが抑えられた商品性の高い携帯端末が得られる。
【００１９】
第７の発明では、第６の発明において、
上記筐体と操作側筐体とが折畳み開閉自在に連結され、
上記表示装置は、上記筐体の一方の面に設けたメインディスプレイとは別に他方の面に設けられたサブディスプレイとする。
【００２０】
上記の構成によると、斜面があるように見えるものの、サブディスプレイの開口部との間で高さの差がなく、折畳み状態において触った感じも滑らかで外観の良いコンパクトな携帯端末が得られる。
【００２１】
第８の発明では、
ハーフミラーカバーであって、
表面が平坦な透明又は半透明材料で構成され、
裏面側が、表面からの光は反射し、裏面からの光は透過するハーフミラーの膜で覆われ、
周縁の裏側に位置する裏側縁部には、斜面が形成されている。
【００２２】
上記の構成によると、カバーの裏面側がハーフミラーの膜で覆われているので、裏面側から光源を光らせない限り、カバーが光を反射する。縁部の裏側には斜面が形成されているので、この斜面におけるハーフミラーの膜が光を反射する。このため、カバーの表面側に斜面を設けなくても、表面から見れば、周縁部分が凹んだり膨らんだりしているように見え、立体感が醸し出される。
【発明の効果】
【００２３】
以上説明したように、本発明によれば、筐体の開口部周縁と同一の表面高さとし、裏面側を筐体の外部からの光は反射し、内部からの光は透過するハーフミラーの膜で覆って開口部周縁に接する縁部の裏側に斜面を設けたことにより、筐体の開口部周縁とカバー周縁との間で高さの差を設けることなく、カバー周縁に立体感をもたせて外観を良くすることができる。
【図面の簡単な説明】
【００２４】
【図１】本実施形態にかかるハーフミラーカバーを一部拡大して示す断面図である。
【図２】第１の筐体と第２の筐体とを開いた状態の携帯電話機を示す斜視図である。
【図３】第１の筐体と第２の筐体とを折り畳んだ状態の携帯電話機を示す斜視図である。
【図４】本実施形態にかかる携帯電話機の第１の筐体を示す拡大断面図である。
【図５】ハーフミラーカバーと裏面カバーとの分解斜視図である。
【図６】本実施形態に変形例にかかる図４相当図である。
【図７】本実施形態の変形例にかかる図１相当図である。
【発明を実施するための形態】
【００２５】
以下、本発明の実施形態を図面に基づいて説明する。
【００２６】
図２及び図３は本発明の実施形態の筐体のカバー構造にかかるハーフミラーカバー１１を備えた携帯端末としての携帯電話機１を示し、この携帯電話機１は、表面側にメインディスプレイ２を備えた筐体としての第１の筐体３と、表面側に操作部４を備えた、操作側筐体としての第２の筐体５とが、ヒンジ部６を中心に折畳み開閉自在に連結されている。なお、第１の筐体３は、ヒンジ部６の図示しない垂直軸によって、表裏反転可能にも連結されている。
【００２７】
図４及び図５に示すように、第１の筐体３は、表面側にメインディスプレイ２が嵌め込まれるフレーム７を備え、フレーム７の裏面側に第１の筐体３の一部を構成する裏側キャビネット８が枠状の両面テープ９で貼り付けられている。フレーム７は、例えば、アルミ合金の芯材７ａを合成樹脂で一体成形したものよりなる。メインディスプレイ２は、フレーム７に嵌め込まれた状態で、表面側からアクリル板２ａで覆われている。
【００２８】
裏側キャビネット８の中央には、略矩形状の開口部８ａが開口されている。この開口部８ａの内側には、表示装置としてのサブディスプレイ１０が配置されている。サブディスプレイ１０は、フレーム７に装着され、その表面側を開口部８ａに嵌め込まれたハーフミラーカバー１１で覆われている。
【００２９】
ハーフミラーカバー１１は、裏側キャビネット８の開口部８ａに嵌め込まれるカバー本体１１ａと、このカバー本体１１ａの周縁に連続して設けられた枠状の鍔部１１ｂとを備えている。カバー本体１１ａは、例えば半透明なポリカーボネイトよりなる。なお、カバー本体１１ａは、アクリル板などの他の合成樹脂製でも良く、透明であっても良い。合成樹脂製であれば、成形が容易で軽量というメリットがある。この鍔部１１ｂの表面側に両面テープ等よりなる貼付テープ１２を貼り付けて開口部８ａの周縁裏側に貼り付けるように構成されている。図４に示すように、ハーフミラーカバー１１を開口部８ａに裏側キャビネット８の裏側から貼り付けたときには、カバー本体１１ａの表面高さと開口部８ａの表面高さとは、同一となっており、その合わせ面の隙間もごみが溜まらない程度に最小限に保たれている。
【００３０】
そして、図１に一部拡大して示すように、ハーフミラーカバー１１の裏面全体は、裏側キャビネット８の外部からの光は反射し、裏側キャビネット８の内部からの光は透過するハーフミラー膜１３で覆われている。ハーフミラー膜１３は、極めて薄い反射膜を蒸着等により付着させることで、光の透過性をもたせて、ある程度強い光が裏側から光った場合は、その光が表側に通るよう構成されている。
【００３１】
そして、このハーフミラー膜１３が設けられた裏面における、開口部８ａの周縁に接する縁部１１ｃの裏面側に位置する裏側縁部１１ｄは、開口部８の周縁に向かって表面側へ凹んでいる。例えば、図１に拡大して示すように、断面が山形に表面側に向かって凹陥され、その山形の頂点が縁部１１ｃと開口部８ａ周縁との合わせ面の下方に配置されている。
【００３２】
また、裏側縁部１１ｄと開口部８ａ中央部の表示領域とを除く領域には、黒色の遮光膜１４が形成されている。例えば、この遮光膜１４は、サブディスプレイ１０の画面が写る部分をマスキングして、黒色塗料を塗ったローラや板状の部材でハーフミラー膜１３の上から塗布すると、裏側縁部１１ｄが表面側に断面山形に凹んでいるので、この裏側縁部１１ｄには遮光膜１４が形成されない。
【００３３】
そして、図４に示すように、裏側縁部１１ｄの裏面側には、導光板１５が配置されている。この導光板１５の周辺には、図示しない光源としての複数のＬＥＤが離散的に配置され、このＬＥＤからの光が導かれるようになっている。例えば、このＬＥＤを携帯電話機１の着信時に順次点灯するようにすれば、携帯電話機１を閉じたままで、視覚的に着信を明確に認識することができるようになっている。
【００３４】
このように構成した携帯電話機１では、ハーフミラーカバー１１の裏面側がハーフミラー膜１３で覆われているので、サブディスプレイ１０の光源を光らせない限り、ハーフミラーカバー１１が反射する。このとき、裏側縁部１１ｄが開口部８ａの周縁に向かって表面側へ凹んでいるので、この裏側縁部１１ｄの位置で反射が行われる。このため、ハーフミラーカバー１１の表面を凹ませなくても、表面から見れば、縁部１１ｃが開口部８から離れるにつれて凹んでいるように見え、その結果としてハーフミラーカバー１１全体が凹んで凹陥部が形成されているように見えて立体感が醸し出される。
【００３５】
一方、ＬＥＤからの光が導光板１５に導かれたときには、この裏側縁部１１ｄが光を透過し、際立って見えるので、着信時等の認識性が向上すると共に、外観が良くなっている。
【００３６】
したがって、本実施形態にかかるハーフミラーカバー１１によると、筐体の開口部８ａ周縁と同一の表面高さとし、裏面側を裏側カバー８の外部からの光は反射し、内部からの光は透過するハーフミラー膜１３で覆って裏側縁部１１ｄに斜面を設けたことにより、サブディスプレイ１０の開口部８ａ周縁とハーフミラーカバー１１周縁との間で高さの差を設けることなく、縁部１１ｃに立体感をもたせて外観を良くすることができる。
【００３７】
そして、表面が凹んで凹陥部が形成されているように見えるものの、実際にはサブディスプレイの開口部８ａとの間で高さの差がなく、触った感じも滑らかでごみが溜まらず、外観の良い商品性の高い携帯電話機１が得られる
−実施形態の変形例−
図６及び図７は本発明の実施形態の変形例の携帯電話機１０１を示し、ハーフミラーカバー１１１の裏側縁部１１１ｄの構成が異なる点で上記実施形態と異なる。なお、図１〜図５と同じ部分については同じ符号を付してその詳細な説明は省略する。
【００３８】
すなわち、本変形例における携帯電話機１０１は、上記実施形態と同様の第１の筐体３及び第２の筐体５を有しているが、裏側縁部１１１ｄは、窓側８ａ周縁に向かって表面から離れる方向へ傾斜している。斜面の終点は、開口部８ａ周縁と縁部１１１ｃとの合わせ面の下方に位置している。
【００３９】
この場合には、光源からの光が発生していないときに表面から見ると、縁部１１ｃが合わせ面から徐々に膨らんでいるように見え、その結果としてハーフミラーカバー１１全体が膨らんで膨出部が形成されているように見えて立体感が醸し出される。
【００４０】
このため、ハーフミラーカバー１１１の厚さを実際には厚くしなくても、外観上膨出部が形成されているように見えるものの、実際にはハーフミラーカバー１１１の厚さは厚くなく、合わせ面にも段差がないので、コンパクトでごみの溜まらない携帯電話機１が得られる。
【００４１】
（その他の実施形態）
本発明は、上記実施形態について、以下のような構成としても良い。
【００４２】
すなわち、上記実施形態では、表示装置は、サブディスプレイ１０としたが、メインディスプレイ２としても良い。この場合には、アクリル板２ａをハーフミラーカバーとして構成すれば良い。また、ハーフミラーカバー１１は、表示装置そのものではなく、ＬＥＤ等の光源のみを覆うものでも良い。
【００４３】
上記実施形態では、開口部８ａは、矩形窓状のものとしたが、円形や楕円形でも良く、さらには、一部が枠のない開口部でも良い。また、開口部が筐体の表面略全体に及ぶような場合にも適用可能である。
【００４４】
上記実施形態では、携帯端末は、携帯電話機１としたが、表示装置を内蔵する、ＰＨＳ（Personal Handy-phone System ）、ＰＤＡ(Personal Digital Assistant)、パソコン、モバイルツール、電子辞書、電卓、ゲーム機等であっても良い。
【００４５】
上記実施形態では、カバー本体１１ａをポリカーボネイト等の透明又は半透明の合成樹脂で形成しているが、ガラス等の他の透明又は半透明材料であっても良い。
【００４６】
上記実施形態では、開口部８ａを矩形状の窓としているが、これに限定されず、
なお、以上の実施形態は、本質的に好ましい例示であって、本発明、その適用物や用途の範囲を制限することを意図するものではない。
【産業上の利用可能性】
【００４７】
以上説明したように、本発明は、携帯電話機などの携帯端末の表示装置の開口部を覆うカバーについて有用である。
【符号の説明】
【００４８】
１，１０１      携帯電話機（携帯端末）
２      メインディスプレイ
３      第１の筐体（筐体）
５      第２の筐体（操作側筐体）
８      裏側キャビネット（筐体）
８ａ    開口部
１０      サブディスプレイ（表示装置）
１１，１１１      ハーフミラーカバー
１１ｃ，１１１ｃ    縁部
１１ｄ，１１１ｄ    裏側縁部
１３      ハーフミラー膜
１４      遮光膜
１５      導光板
【図１】
2011234182.tif 000003
【図２】
2011234182.tif 000004
【図３】
2011234182.tif 000005
【図４】
2011234182.tif 000006
【図５】
2011234182.tif 000007
【図６】
2011234182.tif 000008
【図７】
2011234182.tif 000009